(57)【要約】  コントローラ（４００）と，ディスプレイ（４３６）と，前記コントローラに接続された入力デバイス（４３８）と，利用可能な多数のデジタルオブジェクト（４２６）を閲覧するためのデジタルオブジェクトブラウザ（４５０）と，を備えた移動体端末である。前記多数のデジタルオブジェクトそれぞれの第１表現（５１２）及び第２表現（５３２）は，前記ディスプレイの表示画面（５００）に提示できる。前記多数のデジタルオブジェクトの前記第１表現は，前記表示画面上の所定の経路（５１０）に沿って提示され，前記デジタルオブジェクトのうち注目する１つの第１表現（５２２）は，前記表示画面上の注目エリア（５２０）に表示される。前記デジタルオブジェクトのうちの前記注目する１つについては，その第２表現（５３２）を前記表示画面上のプレビューエリア（５３０）に提示する。前記入力デバイスに与えられたユーザ入力に応答して，提示されている各第１表現間の所望のスクロール操作を実行し，それによって前記表示画面上の各第１表現の位置を前記経路に沿ってシフトさせ，前記デジタルオブジェクトのうちの前記注目する１つから別のデジタルオブジェクトへ注目先が変更されたことを，前記注目エリアに前記別のデジタルオブジェクトの第１表現を提示することによって前記注目エリアを更新して反映し，同様に前記プレビューエリアを対応して更新してそこに前記別のデジタルオブジェクトの第２表現を提示する。
2008542867.tif 000002
【特許請求の範囲】
【請求項１】
コントローラ（４００）と，ディスプレイ（２０３，３０３又は４３６）と，前記コントローラに接続された入力デバイス（２１０，３１０又は４３８）と，利用可能な多数のデジタルオブジェクト（１２６，１２６’又は４２６）を閲覧するためのデジタルオブジェクトブラウザ（４５０）と，を備えた移動体端末（１００，２００又は３００）であって，
前記多数のデジタルオブジェクトそれぞれの第１表現（５１２）及び第２表現（５３２）を，前記ディスプレイの表示画面（５００）に提示できることを特徴とし，かつ
前記多数のデジタルオブジェクトの前記第１表現を，前記表示画面上の所定の経路（５１０）に沿って提示し，かつ前記デジタルオブジェクトのうち注目する１つの第１表現（５２２）を前記表示画面上の注目エリア（５２０）に表示し，
前記デジタルオブジェクトのうちの前記注目する１つについて，その第２表現（５３２）を前記表示画面上のプレビューエリア（５３０）に提示し，
前記入力デバイスに与えられたユーザ入力に応答して，提示されている各第１表現間の所望のスクロール操作を実行し，それによって前記表示画面上の各第１表現の位置を前記経路に沿ってシフトさせ，前記デジタルオブジェクトのうちの前記注目する１つから別のデジタルオブジェクトへ注目先が変更されたことを，前記注目エリアに前記別のデジタルオブジェクトの第１表現を提示することによって前記注目エリアを更新して反映し，同様に前記プレビューエリアを対応して更新してそこに前記別のデジタルオブジェクトの第２表現を提示する，
ように前記コントローラが，前記デジタルオブジェクトブラウザを制御するようになっていることを特徴とする移動体端末。
【請求項２】
前記デジタルオブジェクト（１２６，１２６’又は４２６）は画像とし，前記第１表現は前記画像のサムネイル版（５１２）とし，前記第２表現は，前記注目エリア（５２０）にサムネイル版（５２２）が表示されている画像の縮小版（５３２）とする請求項１に記載の移動体端末。
【請求項３】
前記縮小版（５３２）は，画像サイズ，解像度又は色深度のうち少なくとも１つが対応するサムネイル版（５２２）よりも大きいものとする請求項２に記載の移動体端末。
【請求項４】
前記の注目デジタルオブジェクトの第１表現（５２２）は，前記表示画面（５００）上に正面図を表示し，一方前記注目デジタルオブジェクト以外のデジタルオブジェクトの第１表現（５１２）は，前記表示画面上に透視図として表示する請求項１〜３のいずれか一項に記載の移動体端末。
【請求項５】
前記所定の経路（５１０）は，非線形幾何学カーブに沿う請求項１〜４のいずれか一項に記載の移動体端末。
【請求項６】
前記表示画面（５００）上の前記注目エリア（５２０）は，前記表示画面上に固定，すなわち静止位置に置く請求項１〜５のいずれか一項に記載の移動体端末。
【請求項７】
前記経路（５１０）は，少なくとも１つの対称軸（５１４）に対して対称とし，前記表示画面（５００）上の前記注目エリアの前記静止位置は，前記経路と前記対称軸との交点に配置する請求項５又は６に記載の移動体端末。
【請求項８】
前記コントローラ（４００）は，前記入力デバイス（２１０，３１０又は４３８）から第１種ユーザ入力を受信したとき，前記第１表現（５１２）を前記経路（５１０）に沿って第１方向（５５０Ｌ）にスクロールさせるようになっており，かつ前記入力デバイスから第２種ユーザ入力を受信したとき，前記第１表現を前記経路に沿って前記第１方向とは反対の第２方向（５５０Ｒ）にスクロールさせるようになっている請求項１〜７のいずれか一項に記載の移動体端末。
【請求項９】
前記コントローラ（４００）は，前記入力デバイス（２１０，３１０又は４３８）から第３種ユーザ入力を受信したとき，前記デジタルオブジェクト（１２６，１２６’又は４２６）のうちの前記注目する１つについて利用可能な種々の操作を表す，多数の機能（５２８）を有するメニュー（５２６）を，前記表示画面（５００）上に提示するようになっている請求項８に記載の移動体端末。
【請求項１０】
前記入力デバイスは，４又は５方向ナビゲーションキー又はジョイスティックのような多方向入力デバイス（２１０又は３１０）からなり，前記第１種ユーザ入力及び第２種ユーザ入力は，前記多方向入力デバイスの第１方向及び第２方向への操作とする請求項８又は９に記載の移動体端末。
【請求項１１】
前記デジタルオブジェクトのうちの前記注目する１つと関連する情報（５４２）を前記表示画面（５００）上の説明エリア（５４０）に提示するように，前記コントローラ（４００）が前記デジタルオブジェクトブラウザ（４５０）を制御するようになっている請求項１〜１０のいずれか一項に記載の移動体端末。
【請求項１２】
移動体通信ネットワーク（１１０）において使用するようにした携帯電話機（１００）をなす請求項１〜１１のいずれか一項に記載の移動体端末。
【請求項１３】
デジタルノートパッドと，パーソナルデジタルアシスタントと，手持ち計算機と，からなるグループから選択したデバイスをなす請求項１〜１２のいずれか一項に記載の移動体端末。
【請求項１４】
局所メモリ（４０２）を備え，前記利用可能な多数のデジタルオブジェクト（１２６又は４２６）の少なくともいくつかを前記局所メモリに記憶する請求項１〜１３のいずれか一項に記載の移動体端末。
【請求項１５】
移動体通信ネットワーク（１１０）又は外部デバイス（１２２）の少なくともいずれかへの無線通信インタフェース（４０６〜４１０）を備え，前記利用可能な多数のデジタルオブジェクト（１２６’）の少なくともいくつかは，前記移動体通信ネットワーク又は前記外部デバイスに記憶され，前記無線通信インタフェースを介して前記コントローラ（４００）及び前記デジタルオブジェクトブラウザ（４５０）から利用可能な請求項１〜１４のいずれか一項に記載の移動体端末。
【請求項１６】
前記デジタルオブジェクト（１２６，１２６’又は４２６）を階層型記憶構造又は別の順序付けがされた記憶構造内に配置し，前記デジタルオブジェクトのうちの前記注目する１つに関連する提示情報（５４２）は，前記注目デジタルオブジェクトの前記記憶構造内の位置についての情報を含む請求項１１に記載の移動体端末。
【請求項１７】
表示画面（５００）と，該表示画面上に提示できる利用な可能な多数のデジタルオブジェクト（１２６，１２６’又は４２６）それぞれの第１表現（５１２）及び第２表現（５３２）と，を有するディスプレイ（２０３，３０３又は４３６）を備えた移動体端末（１００，２００又は３００）のためのデジタルオブジェクト閲覧方法であって，
前記多数のデジタルオブジェクトの前記第１表現を，前記表示画面上の所定の経路（５１０）に沿って提示するステップであって，前記デジタルオブジェクトのうち注目する１つの第１表現（５２２）を前記表示画面上の注目エリア（５２０）に表示するステップと，
前記デジタルオブジェクトのうちの前記注目する１つについて，その第２表現（５３２）を前記表示画面上のプレビューエリア（５３０）に提示するステップと，
前記入力デバイスに与えられたユーザ入力に応答して，提示されている各第１表現間の所望のスクロール操作を実行するステップであって，それによって前記表示画面上の各第１表現の位置を前記経路に沿ってシフトさせ，前記デジタルオブジェクトのうちの前記注目する１つから別のデジタルオブジェクトへ注目先が変更されたことを，前記注目エリアに前記別のデジタルオブジェクトの第１表現を提示することによって前記注目エリアを更新して反映し，同様に前記プレビューエリアを対応して更新してそこに前記別のデジタルオブジェクトの第２表現を提示するステップと，
を有する方法。
【請求項１８】
プロセッサのメモリに直接ロードでき，請求項１７に記載の方法を実行するためのプログラムコードを含む計算機プログラム製品。
【発明の詳細な説明】
【技術分野】
【０００１】
本発明は移動体通信に関し，より特定すればデジタルオブジェクトブラウザを備える移動体端末と，関連する方法及び計算機プログラム製品と，に関する。
【背景技術】
【０００２】
ＧＳＭ，ＵＭＴＳ，Ｄ−ＡＭＰＳ又はＣＤＭＡ２０００のような通信システムのための携帯（セルラ）電話機は，上記による移動体端末の共通の例である。長年にわたり，携帯電話機の通常のユーザインタフェースは，ディスプレイと，キーパッドと，スピーカと，マイクロホンと，に限られていた。そのころの携帯電話機は，主に音声通信（電話呼）に用いられており，したがって小型で白黒のディスプレイ及びキーパッドを用いた，文字による単純なユーザインタフェースで十分であった。近年，音声通信に加えて種々の特徴及びサービスが携帯電話機に提供されてきた。例えば連絡先又は電話帳，カレンダ，電子メッセージ，ビデオゲーム，静止画像取り込み，ビデオ録画，オーディオ（音楽）再生，などである。この移動体端末の使い勝手の拡張又は拡大は，より高度なグラヒックユーザインタフェースにつながり，通常はより大型で高解像度のカラーディスプレイと，ジョイスティック又は４又は５方向ナビゲーションキーのような多方向入力デバイスと，を用いる。
【０００３】
移動体端末が益々高度化されるにつれて，一般に益々多くの情報をディスプレイ上に提示することが望まれる。しかしこれは小型移動体端末に対する市場の強い要求に反する。移動体端末の小さな全体的装置サイズもまた，ディスプレイサイズを制約する。したがって，ディスプレイの表示画面上の利用できる表示エリアは限定された資源であり，将来もそうであることが期待される。
【０００４】
いくつかのオブジェクトを表示画面上に同時に提示するたびに，個々のオブジェクトの識別性を可能な限りよく保ったまま（多くのオブジェクトを同時に提示できるようにしながら），そのような提示を小型にできるとよいとだれもが思う。
【０００５】
前述のデジタルオブジェクトがデジタル画像であるとき，このことは特に関係する。すべてではないにしろ，現在市販されている多くの移動体端末は画像ブラウザ及びデジタルカメラを備えている。そのような移動体端末のユーザは，通常取り込んだ画像を移動体端末のメモリ内に内部的に記憶された階層型ファイル構造，又はより高度な画像データベースに，記憶させて管理している。更にいくつかの移動体端末モデルでは，移動体通信ネットワーク又はインターネットのような関連した別のデータネットワークを介して，ユーザが遠隔サーバなどの提供する画像を利用したり，ダウンロードしたりすることさえできる。このような画像閲覧機能は，将来も移動体端末が市場で成功するための重要な要因であり続けることが予想される。
【０００６】
現在の移動体端末の画像ブラウザは通常，例えば階層型ファイル構造又は画像データベース内の特定のレベルに記憶された画像のような利用可能な画像の小型の表現を，表示画面上に順序付けて提示する。前述の小型表現は，通常画像のファイル名又は画像名，若しくは各画像のサムネイル版，のいずれかであってよい。この技術分野では周知のとおり，画像のサムネイル版とは原画像を小型サイズにした低品質版である。サムネイルは完全に識別できないことが多いが，それでもなおユーザに画像の全体的な性質，例えば色相，スタイルなど，を理解させる。表示画面上にそのようなサムネイルを提示する順序は，通常直線的な行構造又は格子構造のいずれかである。後者においては，サムネイルはｎ行に表示され，各行はｍ個のサムネイルを含む。したがって表示画面上にｎ×ｍ個のサムネイルが同時に提示できる。サムネイルの代わりにファイル名又は画像名を表示するときは，通常表示画面上にリストで提示する。
【０００７】
国際公開第２００４／０２３２８３号は，対話型テレビジョンセットトップボックス，手持ち計算機又は移動体端末のようなデバイスのためのグラヒックユーザインタフェースシステムを開示している。選択可能な機能（ｍｅｎｕ  ｏｐｔｉｏｎ）のスクロールできるメニューが，表示画面上に本質的に半円形の経路に沿った一連のパネル又はアイコンをなして表示されている。各パネル又はアイコンは，対応する選択可能な機能を表している。ユーザは，左矢印キー又は右矢印キーを押下することによって種々のパネル間をスクロールすることができる。これに応答して，現在「強調表示」されているパネルにフォーカスしたカーソルが対応してシフトする。カーソルが，１つのスクロール方向にあるいくつかの位置だけシフトしたとき，パネルの全体系列が逆の方向にシフトして，注目したパネルを半円形経路の下側の中央位置に再配置することができる。「決定キー」のような個別の選択キーを押下することによって，注目したパネルが選択される。すなわちより詳細に言えば，そのパネルが表示する機能が選択される。一実施例においては，メニューは階層型である。すなわち最上位（ルート）レベルの各パネルはフォルダを表し，それ自身はサブフォルダ及び／又は下位レベルの選択可能なパネルを含む。ユーザは，上下矢印キーを用いてこの階層型メニューの種々のレベル間を移動する。（利用可能な表示エリア内に入るならば）すべてのパネルが，メニューシステムの現在のレベルに表示され，更に現在注目するパネルの親パネルが（それだけ）表示される。
【０００８】
デジタルオブジェクト，すなわち選択可能なパネルを，１次元又は２次元の線形構造ではなくカーブした経路に沿って提示する利点は，表示画面上の利用可能なエリア内に多数のパネルを入れることができることである。更にそれは，直感的でユーザフレンドリな表現であると考えられる。しかし国際公開第２００４／０２３２８３号にはいくつかの欠点がある。
【０００９】
第１に国際公開第２００４／０２３２８３号が提案する解決策は，デジタルオブジェクトブラウザに特に適してはいない。なぜならば，限定されたサイズのパネル自体を除けば，各利用可能なデジタルオブジェクトの詳細について何らの明確な情報も提供していないからである。更に，国際公開第２００４／０２３２８３号が提案する解決策は，ユーザが便利に選択するために，各デジタルオブジェクトがフォーカスされているときに利用可能な操作を提示する有用な方法を欠いている。
【００１０】
第２に本願発明者は，国際公開第２００４／０２３２８３号が提案する解決策は，利用可能な表示エリアを最適に利用していないことに気付いた。
【００１１】
更に，注目するオブジェクトの位置に関して提供される情報は，それが記憶されている階層型構造又は別の順序付けられた構造に対して，非常に限定された方法でだけ（直前のレベル又は親オブジェクトだけが）示される。
【００１２】
米国特許第６，４１１，３０７号及び国際公開第０２／３９７１２号には，カーブした経路に沿った機能アイコンを有する，同様ではあるがより簡単なグラヒックユーザインタフェースが開示されている。
【発明の開示】
【発明が解決しようとする課題】
【００１３】
上記の観点から，本発明の目的は，上述の課題を解決するか，少なくとも軽減することである。これは一般に，本願の各独立請求項によって達成される。
【課題を解決するための手段】
【００１４】
本発明の第１態様は，コントローラと，ディスプレイと，上記コントローラに接続された入力デバイスと，利用可能な多数のデジタルオブジェクトを閲覧するためのデジタルオブジェクトブラウザと，を備え，上記多数のデジタルオブジェクトそれぞれの第１表現及び第２表現を，上記ディスプレイの表示画面に提示する移動体端末であって，
上記多数のデジタルオブジェクトの上記第１表現を，上記表示画面上の所定の経路に沿って提示し，上記デジタルオブジェクトのうち注目する１つの第１表現を上記表示画面上の注目エリアに表示し，
上記デジタルオブジェクトのうちの上記注目する１つについて，その第２表現を上記表示画面上のプレビューエリアに提示し，かつ
上記入力デバイスに与えられたユーザ入力に応答して，提示されている各第１表現間の所望のスクロール操作を実行し，それによって上記表示画面上の各第１表現の位置を上記経路に沿ってシフトさせ，上記デジタルオブジェクトのうちの上記注目する１つから別のデジタルオブジェクトへ注目先が変更されたことを，上記注目エリアに上記別のデジタルオブジェクトの第１表現を提示することによって上記注目エリアを更新して反映し，同様に上記プレビューエリアを対応して更新してそこに上記別のデジタルオブジェクトの第２表現を提示する，
ように上記コントローラが，上記デジタルオブジェクトブラウザを制御するようになっている。
【００１５】
混乱を避けるため，上記多数のデジタルオブジェクトの各第１表現は表示画面上に同時に表示されるが，第２表現についてはそうではないことに注意されたい。このように多数の第２表現は，表示画面上に同時には表示されない。実際プレビューエリアには同時に１つだけ，すなわちデジタルオブジェクトのうち注目する１つを表現するもの，を表示するのが好ましい。
【００１６】
上記のデジタルオブジェクトは画像であり，第１表現は上記画像のサムネイル版であり，かつ第２表現は上記注目エリアにサムネイル版が表示されている画像の縮小版であると有利である。上記縮小版は，画像サイズ，解像度又は色深度のうち少なくとも１つが対応するサムネイル版よりも大きいものであってもよい。これは，（ユーザに利用可能な画像の全体像を与えるために）多くのサムネイルを表示画面上に同時に提示すること，及び同時にユーザに注目画像の識別可能なプレビューをプレビューエリアに提示することの双方を可能にするという利点を有する。
【００１７】
表示画面上の利用可能な表示エリアの利用を更に最適化するため，注目するデジタルオブジェクトの第１表現は正面図で表示し，一方注目するもの以外のデジタルオブジェクトの第１表現は透視図として表示することもできる。このようにデジタルオブジェクトが画像であるときは，注目するサムネイルだけが正面図で表示され，一方すべてのほかのサムネイルは透視図で表示される。透視図は，正面図よりも表示画面上の占有スペースが少ない。あるいは，注目するもの以外のデジタルオブジェクトの第１表現を，注目するデジタルオブジェクトと同様に正面図として表示するが，注目するデジタルオブジェクトよりも小さな画像サイズで表示することによって，利用可能な表示エリアの利用を最適化してもよい。
【００１８】
表示画面上の利用可能な表示エリアの利用は，前述の所定の経路を円，だ（楕）円又はそれらの一部のような非線形（すなわちカーブした）幾何学的カーブに沿うようにすることによって，更に最適化することができる。
【００１９】
デジタルオブジェクトは，所定の経路に沿って順に配置することが好ましい。デジタルオブジェクトを表示画面上の２，３又は更に多い所定の経路に沿って配置することによって，更に多くのデジタルオブジェクトを表示画面上に全く同時に収めることもできる。そのような経路は，実装によってお互いに相互接続してもよいし，しなくてもよい。２つの経路を相互接続しているときは，第１経路の終点を越えてスクロールしたオブジェクトは，第２経路の始点にスクロールして入ってもよく，その逆であってもよい。
【００２０】
所定の経路に沿って提示されている第１表現よりも多くのデジタルオブジェクトが閲覧できる。その場合，１つのオブジェクトが所定の経路の，１つの終点（又は始点）を越えてスクロールすると，その第１表現は表示画面から結果的に消え，それまで提示されていなかったデジタルオブジェクトの第１表現が，所定の経路の反対の始点（又は終点）に，それ自体はなじみのあるスクロールによって，現れてもよい。
【００２１】
一実施例においては，上記表示画面上の注目エリアは，上記表示画面上に固定，すなわち静止位置に置かれる。この方法は，静的な表示画面の方がより疲れにくく，ユーザに対してより直感的なため，利点がある。
【００２２】
この実施例において，上記経路は少なくとも１つの対称軸に対して対称とし，上記表示画面上の上記注目エリアの上記静止位置は，上記経路と上記対称軸との交点に配置すると有利である。
【００２３】
上記入力デバイスは，４又は５方向ナビゲーションキー又はジョイスティックのような多方向入力デバイスからなっていてもよい。上記コントローラは，多方向入力デバイスの第１方向への操作のような第１種ユーザ入力を受信したとき，上記第１表現を上記経路に沿って第１方向にスクロールさせるようにしてもよく，かつ多方向入力デバイスの第２方向への操作のような第２種ユーザ入力を受信したとき，上記第１表現を上記経路に沿って上記第１方向とは反対の第２方向にスクロールさせるようにしてもよい。
【００２４】
上記コントローラは，上記入力デバイスから第３種ユーザ入力を受信したとき，上記デジタルオブジェクトのうちの上記注目する１つについて利用可能な種々の操作を表す多数の機能を有するメニューを，上記表示画面上に提示するようにしてもよい。ここで用いた「上記デジタルオブジェクトのうちの上記注目する１つについて利用可能な種々の操作」とは，通常当該デジタルオブジェクトの制御，処理，修正，通信，又は対話のために利用可能な任意種別のデジタルオブジェクトに対する操作を含んでもよい。したがって，デジタルオブジェクトが画像であるとき，この構成はユーザが便利に選択できるように，注目する各画像に対して利用可能な操作を提示する有用な方法を提供する。画像に対するそのような操作は，開く，削除，編集，送信，名前の変更，詳細表示，などを含んでもよいが，これに限定されるものではない。
【００２５】
上記メニューの機能は，上記多方向入力デバイスによって選択可能であることが好ましい。
【００２６】
一実施例においては，上記デジタルオブジェクトのうちの上記注目する１つと関連する情報を上記表示画面上の説明エリアに提示するように，上記コントローラが上記デジタルオブジェクトブラウザを制御するようになっている。したがってこの構成は，（デジタルオブジェクトが画像であるとき，その画像のサムネイル及びプレビューによって提供される視覚的外観情報を除いて）各利用可能なデジタルオブジェクトの詳細についての追加情報をユーザに与える。デジタルオブジェクトが階層的記憶構造又はほかの順序付けられた記憶構造内にあるとき，上記デジタルオブジェクトのうちの上記注目する１つに関係する提示情報が，例えば階層インデクス番号，ファイルシステムパスを含むファイル名，などの記憶構造内の上記注目するオブジェクトの位置についての情報を含むと有利である。あるいは，提示情報はそのような階層的記憶情報を除外して，単に注目するオブジェクトを表す名前又はインデクス番号からなってもよい。
【００２７】
移動体端末は，ＧＳＭ，ＵＭＴＳ，Ｄ−ＡＭＰＳ，又はＣＤＭＡ２０００のような移動体通信標準に適合する移動体通信ネットワークにおいて使用するようになっている携帯電話機であってもよい。
【００２８】
あるいは，移動体端末はデジタルノートパッドと，パーソナルデジタルアシスタントと，手持ち計算機と，からなるグループから選択したデバイスであってもよい。
【００２９】
利用可能な多数のデジタルオブジェクトの少なくともいくつかは，移動体端末内の局所メモリに記憶してもよい。追加として，又は代替として，移動体通信ネットワーク又は外部デバイスの少なくともいずれかへの無線通信インタフェースを備えた移動体端末については，上記利用可能な多数のデジタルオブジェクトの少なくともいくつかは，上記移動体通信ネットワーク又は上記外部デバイスに記憶され，上記無線通信インタフェースを介して上記コントローラ及び上記デジタルオブジェクトブラウザから利用可能であってもよい。このように移動体端末のユーザは，そのデジタルオブジェクトブラウザを用いて，実装によって局所的に記憶されたオブジェクト及び／又は遠隔に記憶されたオブジェクトを閲覧することができる。
【００３０】
本発明の第２態様は，表示画面と，該表示画面上に提示できる利用な可能な多数のデジタルオブジェクトそれぞれの第１表現及び第２表現と，を有するディスプレイを備えた移動体端末のためのデジタルオブジェクト閲覧方法であって，
上記多数のデジタルオブジェクトの上記第１表現を，上記表示画面上の所定の経路に沿って提示するステップであって，上記デジタルオブジェクトのうち注目する１つの第１表現を上記表示画面上の注目エリアに表示するステップと，
上記デジタルオブジェクトのうちの上記注目する１つについて，その第２表現を上記表示画面上のプレビューエリアに提示するステップと，
上記入力デバイスに与えられたユーザ入力に応答して，提示されている各第１表現間の所望のスクロール操作を実行するステップであって，それによって上記表示画面上の各第１表現の位置を上記経路に沿ってシフトさせ，上記デジタルオブジェクトのうちの上記注目する１つから別のデジタルオブジェクトへ注目先が変更されたことを，上記注目エリアに上記別のデジタルオブジェクトの第１表現を提示することによって上記注目エリアを更新して反映し，同様に上記プレビューエリアを対応して更新してそこに上記別のデジタルオブジェクトの第２表現を提示するステップと，
を有する。
【００３１】
本発明の第３態様は，プロセッサのメモリに直接ロードでき，第２態様の方法を実行するためのプログラムコードを含む計算機プログラム製品である。
【００３２】
第２態様及び第３態様は，第１態様と本質的に同一又は対応する特徴及び利点を有することができる。
【００３３】
本発明のほかの目的と，特徴と，利点とは，次に述べる詳細な開示，本願の従属請求項，及び図面から明らかになるであろう。
【００３４】
上記のコントローラは，ＣＰＵ（中央処理ユニット），ＤＳＰ（デジタル信号プロセッサ）若しくは任意のほかの電子的プログラム可能論理デバイス又は各デバイスの組合せであってよい。上記のディスプレイは，移動体端末において用いるのに適した任意の商業的に利用可能な種類のディスプレイであってよく，カラーＴＦＴ  ＬＣＤディスプレイを含むがそれに限定されない。
【００３５】
一般に，本願請求項において用いたすべての用語は，ここで別途明示的に定義しない限り，当技術分野における通常の意味に解釈するものとする。「要素」，「デバイス」，「コンポーネント」，「手段」，「ステップ」，等へのすべての参照は，別途明示的に述べない限り，上記の要素，デバイス，コンポーネント，手段，ステップ，等の少なくとも１つの例を指すように広く解釈するものとする。ここで開示する方法ステップはどれも，明示的に述べない限り，開示した正確な順序で実行する必要はない。
【発明を実施するための最良の形態】
【００３６】
ここで添付の図面を参照して本発明の実施例をより詳細に説明する。
【００３７】
図１に本発明を適用することができる通信システムの一例を示す。図１の通信システムにおいては，音声呼と，データ呼と，ファクシミリ通信と，音楽通信と，静止画像通信と，ビデオ通信と，電子メッセージ通信と，電子商取引と，のような種々の通信サービスを，本発明による移動体端末１００と，別の移動体端末１０６，ＰＤＡ１１２，ＷＷＷサーバ１２２及び固定電話機１３２のようなほかのデバイスと，の間で実行することができる。移動体端末１００のほかの実施例については，上記の通信サービスと異なるものが利用できるかもしれないし，できないかもしれないことに注意されたい。これに関して，本発明はどの特定のサービス集合にも限定されない。上記についてより重要なことは，本発明による移動体端末１００にはデジタルオブジェクトブラウザが提供されており，移動体端末１００のユーザが，移動体端末１００内，又は同じ場所に局所的に記憶されている局所デジタルオブジェクト１２６，及び／又は例えばＷＷＷサーバ１２２に接続された遠隔データベース１２４内などの遠隔地に記憶されている遠隔デジタルオブジェクト１２６’を閲覧するために用いることができることである。
【００３８】
移動体端末１００，１０６は，基地局１０４，１０９を介するＲＦリンク１０２，１０８によって移動体通信ネットワーク１１０と接続される。移動体通信ネットワーク１１０は，ＧＳＭ，ＵＭＴＳ，Ｄ−ＡＭＰＳ，又はＣＤＭＡ２０００のような任意の商業的に利用可能な移動体通信標準に適合するものであってよい。
【００３９】
移動体通信ネットワーク１１０は，インターネット又はその一部であってもよい広域ネットワーク１２０に機能として接続している。広域ネットワーク１２０には，種々のクライアント計算機及びＷＷＷサーバ１２２を含むサーバ計算機を接続してもよい。
【００４０】
公衆交換電話ネットワーク（ＰＳＴＮ）１３０は，なじみのある方法で移動体通信ネットワーク１１０に接続している。固定電話機１３２を含む種々の電話端末は，ＰＳＴＮ１３０に接続している。
【００４１】
移動体端末１００の第１実施例２００を図２に詳細に示す。当技術においては周知の事項であるが，移動体端末２００は，装置ハウジング２０１と，スピーカ２０２と，ディスプレイ２０３と，普通のＩＴＵ−Ｔ型キーパッド（英数キーパッド）を含む一組のキー２０４と，マイクロホン２０５と，を備えている。このほか図２には示していないが，移動体端末２００は種々の内部コンポーネントを備えている。それらのうちより重要なものが図４に示されており，以降で説明する。外部コンポーネント２０２〜２０５は，移動体端末のユーザインタフェースの全部分である。
【００４２】
更にユーザインタフェースは，ジョイスティックをなす多方向入力デバイス２１０を利用する。入力デバイスのハンドルはユーザが多くの方向２１２又は２１４に操作することができ，それによってナビゲーション操作を指示することができる。すなわち，ジョイスティックを備えた移動体端末ではそれ自身は従来型の方法で，ディスプレイ２０３上に表示された情報２０６の間を対応する方向にナビゲートすることができる。ナビゲーション方向は，図２の実線矢印２１２で示すように４方向であってよく，またディスプレイ２０３又は装置ハウジング２０１の表面に本質的に一致又は平行な基準面に対して，「上，下，左，右」，すなわち「北，南，西，東」に直交分布してもよい。あるいはナビゲーション方向は，図２ａに実線矢印２１２と破線２１４とで示すように８方向であってもよく，また前述の基準面における仮想円の周囲に４５°間隔で分布してもよく，それはユーザによるジョイスティックハンドルの操作を表している。
【００４３】
またユーザは，例えばジョイスティック２１０の上部を押下して基準面に垂直な方向に操作することによって，情報２０６を選択する操作を行うことができる。実装によって，これはジョイスティックハンドル全体の移動，又はジョイスティックの選択ボタン押下である。いくつかの実施例においては，そのようなジョイスティック選択ボタンは，ジョイスティックハンドルの上部にあってもよいし，別の実施例においては，基準面上のジョイスティックの隣に設置してもよい。
【００４４】
ここで図３を参照すると，移動体端末１００の第２実施例３００が示されている。この実施例においては多方向入力デバイスが，別のナビゲーション方向を表す別の円周位置３１２で操作（押下）でき，それによって図２の実施例についての上述の説明と類似したナビゲーション操作を行うことができる５方向ナビゲーションキー３１０として実装されている。更に，その中心３１４で５方向キー３１０を押下することによって，選択操作を指示することができる。残りのコンポーネント３０１〜３０５は，図２にコンポーネント２０１〜２０５と同一又は均等であるのが好ましい。
【００４５】
例えば前述の実施例のいずれであってもよい一実施例による移動体端末の内部コンポーネント及びソフトウェア構造を，図４を参照してここで説明する。この実施例においては，デジタルオブジェクトブラウザは，デジタル画像４２６のための画像ブラウザ４５０である。画像ブラウザ４５０は，ソフトウェアアプリケーションとして実現されている。図４上部は，移動体端末のディスプレイ４３６の，表示画面５００上の画像を閲覧するために用いたときの，画像ブラウザ４５０の典型的な表示割り付けを示している。画像ブラウザ４５０と，その表示画面割り付けと，その機能の詳細とは，以降で詳細に説明する。
【００４６】
移動体端末は，移動体端末の全体動作を制御する，好ましくは任意の商業的に利用可能なＣＰＵ（中央処理ユニット），ＤＳＰ（デジタル信号プロセッサ）又は任意のほかの電子的プログラム可能論理デバイスによって実現された，コントローラ４００を備える。コントローラ４００は，ＲＡＭ，ＲＯＭ，ＥＥＰＲＯＭ，フラッシュメモリ，ハードディスク，又はそれらの任意の組合せのような関連する電子的メモリ４０２を備える。メモリ４０２はコントローラ４００が種々の目的に用い，その１つは移動体端末内の種々のソフトウェアのためのデータ及びプログラム命令を記憶するためである。データは多数の画像４２６を含み，それは以降で説明するように画像ブラウザ４５０によって閲覧するために利用可能である。ソフトウェアは，実時間オペレーティングシステム４２０，マンマシンインタフェース（ＭＭＩ）ドライバ４３４，アプリケーションハンドラ４３２，及び種々のアプリケーションを含む。アプリケーションは，前述の画像ブラウザ４５０，及び連絡先（電話帳）アプリケーション，メッセージアプリケーション，カレンダアプリケーション，コントロールパネルアプリケーション，カメラアプリケーション，メディアプレイヤ，１又は複数のビデオゲーム，ノートパッドアプリケーション，等のような種々のほかのアプリケーション４６０〜４７０を含む。
【００４７】
ＭＭＩドライバ４３４は，ディスプレイ４３６（図２のディスプレイ２０３又は図３のディスプレイ３０３と同一であってもよい），ジョイスティック４３８（図２のジョイスティック２１０と同一であってもよい），マイクロホン，スピーカ，バイブレータ，キーパッド（例えば図２の一組のキー２０４），着信音発生器，ＬＥＤ表示器，音量調節，等のような種々のほかの入出力デバイスと協働する。よく知られているように，このように形成されたマンマシンインタフェースを用いて移動体端末を操作することができる。このマンマシンインタフェースは，本開示実施例においては，ＧＵＩ（グラヒックユーザインタフェース）として非常によく知られたものである。
【００４８】
またこのソフトウェアは，４３０として共通に示された種々のモジュール，プロトコルスタック，ドライバ，等を含んでおり，それらはＲＦインタフェース４０６並びに任意選択でＢｌｕｅｔｏｏｔｈ（登録商標）インタフェース４０８及び／又はＩｒＤＡインタフェース４１０のための（トランスポート，ネットワーク及び接続のような）通信サービスを提供する。ＲＦインタフェース４０６は，基地局への無線リンク（例えば図１のリンク１０２及び基地局１０４）を確立し，維持するための内部アンテナ又は外部アンテナ，及び適切な無線回路を備える。当業者には周知のことであるが，無線回路は共に無線受信器及び無線送信器をなす一連のアナログコンポーネント及びデジタルコンポーネントを備える。これらのコンポーネントは，中でも帯域通過フィルタ，増幅器，混合器，局部発振器，低域通過フィルタ，ＡＤ又はＤＡ変換器，等を含む。移動体端末は，ＷＬＡＮ及びＨｏｍｅＲＦを含むがそれに限定されない，上記以外のほかの無線インタフェースを備えてもよい。図１の近隣デバイス１１２への無線リンク１１４を確立し，それを介して通信するために，そのようなほかの無線インタフェースのうち任意の１つ，又は上述の任意選択インタフェース４０８及び４１０を用いてもよい。
【００４９】
また移動体端末は，ＳＩＭカード４０４及び関連するリーダを備える。よく知られているように，ＳＩＭカード４０４はプロセッサ並びに局所作業用メモリ及びデータメモリを備える。
【００５０】
再度図４の上部を参照して，画像ブラウザ４５０を更に詳細に説明する。前に説明したように移動体端末のユーザは，画像ブラウザを用いて，メモリ４０２内に局所的に記憶されたものか，遠隔地に外部的に記憶されたもの（図１の遠隔デジタルオブジェクト１２６’を参照）のいずれかである利用可能な多数のデジタル画像を閲覧することができる。明りょう性及び簡潔性のため，この説明の残りの部分では，図１の１２６及び図４の４２６を非限定的に参照する局所記憶画像だけを指すものとする。
【００５１】
画像４２６はいくつかの異なる起源を有するかもしれない。例えばそれらはカメラアプリケーションによって写真として取り込まれたかもしれないし，画像エディタ又は描画ツールアプリケーションで作成されたかもしれないし，移動体端末内の任意の利用可能な通信インタフェース（ＲＦインタフェース４０６，等）を介して遠隔サーバからメモリ４０２へダウンロードされたかもしれない。もちろんこれらの起源の組合せも可能であり，利用可能な画像４２６のいくつかは局所的に取り込まれた写真であり，ほかは画像エディタで作成されたもの，などであってよい。画像は階層型ファイルシステム内のファイルとして記憶すると便利である。そのファイルシステムは実時間オペレーティングシステム４２０によって管理され，ほかの種類のオブジェクトを含んでもよい。あるいは画像４２６を画像ブラウザ４５０が管理するデータベース内に記憶してもよい。更にもう１つの代替案は，画像４２６をメモリ４０２内に単純な非階層的な一連のオブジェクトとして記憶することである。
【００５２】
一般に画像４０２のファイル形式，画像サイズ，色深度，等に関しては，ＪＰＥＧ，ＧＩＦ，ＴＩＦＦ，又はビットマップを含むがそれらに限定されない，圧縮又は非圧縮の任意の既存画像標準から選択することができる。
【００５３】
ユーザは任意の利用可能な方法で画像ブラウザを開始することができる。例えば，オペレーティングシステム４２０及びＭＭＩドライバ４３４がなすユーザインタフェースの機能などを選択することである。更に画像４２６が階層型ファイルシステムのあるフォルダに記憶されている場合は，画像ブラウザはユーザがそれ自身は周知であるいくつかの異なった方法のどれによっても所望の現用フォルダを選択できるようにする。例えばユーザは，キーパッド２０４，３０４の（メニューキー又は機能キーのような）個別キーを押下することによって，現用フォルダを選択する１つの機能を含む利用可能な操作リストを呼び出すことができる。本明細書の残りの部分については，ユーザが任意の利用可能な方法で所望の現用フォルダを選択しているものと仮定する。
【００５４】
図４に示されているように，画像ブラウザ４５０はディスプレイ４３６の表示画面５００を次のような方法で利用する。利用可能な多数の画像がメモリ４０２内の画像４２６から選択される。これら多数の画像のそれぞれについて，サムネイル画像５１２をなす第１表現がカーブした経路５１０に沿って提示される。本開示実施例においては，経路５１０（図４においては破線で明示されているが，実際の実装においては見えないことが好ましい）は本質的に半だ（楕）円形をしている。しかし経路５１０には種々のほかの幾何学形状も可能である。そのような形状はどれも，表示画面５００の垂直中心軸と一致するかもしれない対称軸５１４に対して対称であると有利である。サムネイル５１２は，（まっすぐな）線ではなくカーブした経路に沿って配置されているので，経路がまっすぐであるときよりも，表示画面５００上により多くのサムネイルを同時に表示することができる。本開示実施例においては，表示画面５００上の利用可能な表示エリアの利用は，注目エリア５２０に正面図として表示される現在の注目画像５２２を除いて，すべてのサムネイル５１２を通常の正面図ではなく透視図で表示することによって更に最適化される。注目エリア５２０は，サムネイル経路５１０とその対称軸５１４との交点に固定，すなわち表示画面上に静止位置を有する。
【００５５】
いくつかの実装においては，サムネイル５１２は事前に作成され，メモリ４０２内に対応するフルスケール画像４２６と関連させて記憶されている。サムネイルの透視図効果さえも，この方法で前処理してもよい。したがってこのような実装においては，画像ブラウザ４５０はメモリ４０２から前処理したサムネイル５１２を読み出して，提示のためにそれらをカーブした経路５１０に沿って並べるだけでよい。
【００５６】
しかし本開示実施例においては，サムネイル及びその透視図効果は前もって記憶していない。その理由の１つは，メモリ４０２の貴重な記憶空間を節約するためである。第２の理由は，図４に示すように，個々のサムネイルによって透視図が異なるからである。図４に示すように，透視図効果は中心に置かれた注目画像５２２からサムネイルが遠くにあるとき最大であり，特定のサムネイルが注目画像に近づくほど減少する。したがって透視図効果は一連のサムネイル５１２がいずれかの方向にスクロールするたびにいずれにしろ再計算しなければならないので，この場合透視図効果を事前に生成することもまたほとんど意味がない。
【００５７】
このようにそれぞれのサムネイルで透視図を変化させることは有利な特徴である。これによって識別性をどれほども犠牲にすることなく，より多くのサムネイルを表示画面５００上に表示することができる。なぜならば，より中心に近いサムネイルは低透視角で表示されるか，又は（本開示実施例においては注目画像５２２の場合がそうであるが）全く透視角なしで表示されるからである。注目画像それ自身もまた，メモリ４０２内の関連するフルスケール画像を表現するサムネイル画像であることに注意されたい。
【００５８】
このように本開示実施例においては，表示画面５００に表示する各画像４２６は，画像ブラウザ４５０がメモリ４０２から読み出す。こうして読み出された画像は，画像ブラウザ４５０を規定するアプリケーションソフトウェアに含まれるか，又はそれが利用可能である適切な画像処理アルゴリズムによって処理され，対応する小型，低品質で透視図になったサムネイルが作成され，そしてそれがカーブした経路５１０に沿って直ちに提示される。サムネイルを事前に作成しておくか，「その場で（ｏｎ  ｔｈｅ  ｆｌｙ）」作成するかはトレードオフであり，実装ごとに考慮しなければならないであろう。
【００５９】
特に注目画像５２２については，現在フォーカスされており，注目エリア５２０にそのサムネイル５２２が表示されているフルスケール画像４２６についてのプレビュー５３２が，プレビューエリア５３０内に表示される。プレビュー５３２は，この注目フルスケール画像４２６の縮小版である。縮小版は，対応するサムネイル版５２２よりも画像サイズが大きく，好ましくは解像度及び／又は色深度も大きいものであって，これによってユーザにプレビューエリア５３０における注目画像５２２の識別可能なプレビュー５３２を与えるものである。
【００６０】
サムネイルの場合のように，すべての利用可能な画像４２６のプレビューは事前に作成してメモリ４０２に記憶してもよいし，特定の画像がフォーカスされ，そのサムネイル５２２が注目エリア５２０に現れたときに，画像ブラウザ４５０がその場で処理してもよい。もう１つのサムネイル５１２が注目エリア５２０にスクロールして入ったとき，前の注目画像のプレビューは新しい注目画像のプレビューで置き換えられる。このようにして注目エリア５２０は，サムネイル５１２のうちどれを現在注目しており，プレビューエリア５３０にプレビューが表示されているかを示す静止位置のカーソルのように機能する。
【００６１】
本開示実施例においては，ユーザの利便のために，表示画面５００の説明エリア５４０に注目画像５２２の説明５４２を表示する。図４に示すように説明エリア５４０は，表示画面５００の最下層領域に，対称軸５１４に沿って注目エリア５２０及びプレビューエリア５３０と共に垂直に配置すると有利である。説明５４２は，注目オブジェクトについて，その注目画像のサムネイル５２２及びプレビュー５３２が与える厳密に視覚的な（すなわち画像のような）情報以外の別の種類の情報を提供する役割をする。説明５４２は，注目画像のインデクス番号及び／又はファイル名であると有利であり，例えばファイルシステムパスなど，メモリ４０２内の階層記憶構造又は別の順序付けられた記憶構造における注目画像の位置に関連する情報を含んでもよいし，含まなくてもよい。例えばインデクス番号は，単に「１３」であってもよく，それはメモリ４０２内の局所ファイルシステム内の現在選択しているフォルダ内の利用可能な画像の中で，注目画像５２２が番号１３であることを示している。一方ファイルシステムパスを含むファイル名は，次のようなものであってもよい。
"Myphone:\Images\Summer_2004_P00113.jpg"
【００６２】
図５ａ及び５ｂに，ユーザがサムネイル５１２を１ステップ右へスクロールするように指示したとき，表示画面５００の内容がどのように変化するかを示す。図５ａの矢印５５０Ｌ及び５５０Ｒは，ユーザにとって可能なスクロール方向，すなわち左及び右を示している。図５ａにおいて現在の注目画像はＡで示されており，サムネイル経路５１０に沿った直近の隣はＢ及びＤ（注目画像５２２の左），並びにＣ及びＥ（注目画像５２２の右）で示されている。上述のようにＡのプレビューは５３２に表示され，説明は５４２に表示される。ここで入力デバイス４３８に，あるユーザ入力を与えることによって，ユーザはスクロールを指示することができる。例えばそのようなユーザ入力は，ジョイスティック２１０（図２）又は５方向キー３１０（図３）を左又は右のナビゲーション方向に操作することによって与えることができる。
【００６３】
ユーザが右にスクロールさせるようにユーザ入力を与えたと仮定すると，画像ブラウザ４５０はこのユーザ入力を受信して表示画面を更新するように迅速に行動し，それによって表示画面は図５ｂに示す内容になる。図５ｂに示すように，すべてのサムネイル５１２はサムネイル経路５１０に沿って右（半時計方向）に１位置だけ移動する。前の注目画像Ａはフォーカスからはずれて，前にサムネイルＣが占めていた位置に移動する。注目エリア５２０の右側では，サムネイルＣが前にサムネイルＥが占めていた位置に１ステップ移動する。すなわちこちら側のすべてのサムネイルは，注目エリアから１ステップ遠くにシフトする。反対に左側では，すべてのサムネイルは注目エリアに１ステップ近い方向へシフトし，サムネイルＡの直近の左隣Ｂは注目エリア５２０にシフトして入り，注目画像５２２となる。
【００６４】
更に５３２においてＡのプレビューはＢのプレビューに置き換えられ，５４２においてＡの説明はＢの説明に置き換えられる。現用フォルダ内のすべての利用可能な画像４２６を図５ａのサムネイル５１２で表せないときは，注目エリア５２０の右側にある最遠のサムネイルがサムネイルとしては消え，図５ｂに示す状態になる。一方前に表示されていなかった画像４２６の新しいサムネイルが提供され，サムネイル経路５１０に沿って，図５ｂの注目エリア５２０の左側最遠位置に表示される。
【００６５】
もちろん，図５ａにおいてユーザが代わりに左へ１ステップスクロールを実行するようにユーザ入力を与えたときは，表示画面上のすべての更新はこれを反映し，それによってサムネイルが経路５１２に沿って１ステップ左（時計方向）にシフトする。
【００６６】
図５ｃ及び５ｄは，本開示の実施例の別の有利な特徴を示すものである。すなわち，注目画像５２２に対して利用可能な操作のポップアップメニューを，ユーザが便利に利用できるようにする。図５ｃに示すように，ポップアップメニューバー５２４は注目画像５２２のすぐ右に表示される。ポップアップメニューバー５２４は，注目画像５２２が注目エリア５２０に現れるとすぐに自動的に表示されるようにしてもよい。あるいは，表示画面５００上にポップアップメニューバー５２４を提示させるために，（図２のジョイスティック２１０の選択操作，又は図３の５方向ナビゲーションキー３１０の中心３１４を押下するような）ユーザ入力が必要であってもよい。第１代替案は，注目画像５２２から注意をそらせることもないし，ユーザが能動的にポップアップメニューバー５２４を表示させることを選択する前に，直近右隣のサムネイル（図５ｃのＣ）を一部隠すこともないという利点がある。反対に第２代替案は，ポップアップメニューバー５２４を自動的に表示させ，それによって注目画像５２２について利用可能な種々の操作を明確に示すので，少なくとも経験の浅いユーザにはより直感的かつ便利であるという利点がある。
【００６７】
ポップアップメニューバー５２４内の小さな右矢印５２３は，入力デバイス４２８で右ナビゲーション操作（ジョイスティックハンドルを右に傾ける，５方向キーの右縁を押下する，など）を実行する必要があることを示している。これによって，図５ｄに示すように利用可能なメニュー項目のリストすなわち機能５２８がポップアップメニューバー５２４のすぐ右のポップアップメニュー５２６に表示される。ポップアップメニュー５２６が提示されると，その最上位メニュー項目５２８ａが強調表示される。ユーザは入力デバイス４３８を用いて，例えばジョイスティック２１０又は５方向ナビゲーションキー３１０の上ナビゲーション操作又は下ナビゲーション操作などを行ってポップアップメニュー５２６をスクロールさせ，それによって別のメニュー項目５２８を強調表示させることができる。現在ポップアップメニュー５２６に表示されていない更なるメニューアイテムは，下矢印５２９によって示されており，最下層メニュー項目が強調表示されているとき，入力デバイス４３８で下ナビゲーション操作を実行することによってメニューアイテム５２８のリストが下にスクロールされ，利用できるようになる。入力デバイス４３８で（例えば先の段落で説明したもののどれかの）選択操作を実行することによって，ユーザは強調表示されたメニュー項目を選択することができる。ここで画像ブラウザ４５０が，アプリケーションハンドラ４３２及びオペレーティングシステム４２０と協働して，関連する操作を実行する。
【００６８】
例えば本開示の実施例においては，選択したメニュー項目５２８が「開く」（図５ｄの５２８ａ）であったとき，画像ブラウザ４５０は注目画像５２２の拡大版を，本質的に表示画面５００の全体，又はその大部分に提示する。注目画像のこの大きな版は，画像サイズ並びに任意選択で解像度及び／又は色深度の点でプレビュー５３２よりも相当大きいものである。
【００６９】
選択したメニュー項目５２８が「編集」であるときは，画像ブラウザ４５０は（図４のアプリケーション４６０〜４７０に含まれる）画像エディタアプリケーションへの機能呼出し（ｆｕｎｃｔｉｏｎ  ｃａｌｌ）を行う。ここでアプリケーションハンドラがこの画像エディタを呼び出して，図５ｄの注目画像５２２が表している画像４２６の中の特定の画像を処理するように指示する。
【００７０】
メニュー項目「送信」を選択すると，対応してメッセージアプリケーションを呼び出し，当該画像を電子メール又はＭＭＳのような電子メッセージの添付ファイルとして送信する準備を行う。
【００７１】
メニュー項目「詳細」は，注目画像についての，例えばファイルシステムパスを含む詳細ファイル名，サイズ，画像種別，作成日時又は編集日時，等の更なる情報を提供する。
【００７２】
残りのメニュー項目の意味は自明であり，ここで更なる説明は必要ないと思われる。もちろん，図５ｄに示したメニュー項目５２８は例示に過ぎない。更にポップアップメニュー５２６は，階層的，すなわちユーザが入力デバイス４３８で右ナビゲーション操作を実行したとき，第１レベルメニュー項目５２８のいずれか１つがメニュー項目の第２レベルポップアップメニューに導かれる，ものであってもよい。
【００７３】
図５ｅは，実際の実装において表示画面５００がどのように見えるかの比較的簡略ではない図である。
【００７４】
図５ｆ及び５ｇは，本発明の別の実施例を示す図であり，より詳細には，ユーザがサムネイル５１２を１ステップ右にスクロールするように指示したとき，表示画面５００の内容がどのように変化するかを示す図である。この実施例は，次の違いを除けば，図４及び図５ａ〜５ｅについて上述したものに類似している。図５ｆに示すように，現在の注目画像Ａに関しては，５２２にそのサムネイルは表示されない。その代わり５２２には注目画像Ａの説明が表示される（例えば現在の注目画像のインデクス，ファイル名，など，前に実施例では説明エリア５４２に表示される説明に対応する）。この代替実施例は，現在の注目画像の説明提示に別の説明エリアが要らなくなるので，表示空間が節約されるという利点がある。
【００７５】
上述の実施例について説明した画像閲覧方法は，移動体端末のメモリ（例えば図４のメモリ４０２）に製造事業者，販売事業者，エンドユーザ，等が導入することができる計算機プログラム製品として実現するのが有利である。このような計算機プログラムは，移動体端末のプロセッサ（例えば図４のコントローラ４００）が実行したとき，上述の画像ブラウザ機能を実行するプログラムコードを含む。
【００７６】
デジタルオブジェクトブラウザは，デジタル画像のためのブラウザとして説明したが，代替として，ビデオーシーケンス，テキスト文書，表計算文書，ｈｔｍｌ（パイパテキストマークアップ言語）文書，ｗｍｌ（無線マークアップ言語）文書，又はオーディオシーケンスさえも含むが，それに限定されないほかの種別の，デジタルオブジェクトのためのブラウザであってもよい。プレビューエリアに表示される第２表現の詳細は，もちろん文書の実際の種別に依存し，当該種別に特定の処理を要するかもしれない。例えばオブジェクトがｈｔｍｌ文書であったときは，プレビューを表示するために必要な処理は，ｈｔｍｌ符号を解釈するステップと，そのｈｔｍｌ符号が規定する文書の小型，低解像度版をプレビューエリアに提示するステップと，を含むかもしれない。例えばオーディオシーケンスなど非視覚的な性質のオブジェクトに対しては，第２表現だけでなく第１表現も，ユーザにオブジェクトの非視覚的内容の意味を伝えるようにできる限り明りょうな視覚情報を含むであろう。オーディオシーケンスについては，これは例えば歌の題名，アーティストの氏名，アルバムの名称及び／又は長さ，若しくは歌詞の一部，若しくはよく知られたそのオーディオシーケンスの一部（例えば歌のコーラス部）を規定する楽譜のサブセットさえも提示することを含んでもよい。
【００７７】
本発明を主にいくつかの実施例を参照して説明した。しかし当業者にはすぐに分かることであるが，ここに開示した以外のほかの実施例も，本願請求項に規定したとおり，本発明の範囲内で均等に可能である。
【図面の簡単な説明】
【００７８】
【図１】本発明が適用できる環境の例として，移動体端末と，移動体通信ネットワークと，２つのほかのデバイスと，を含む通信システムの概略を示す図である。
【図２】第１実施例による移動体端末を示す概略正面図であって，移動体端末のユーザに対するユーザインタフェースの一部であるいくつかの外部コンポーネントを特に示す図である。
【図３】第２実施例による移動体端末を示す概略正面図である。
【図４】例えば図２及び３に示した実施例のいずれかであってよい移動体端末の内部コンポーネント及びソフトウェア構造を表す概略ブロック図である。
【図５ａ】本発明の一実施例によるデジタルオブジェクトブラウザの表示画面を概略示す図である。
【図５ｂ】本発明の一実施例によるデジタルオブジェクトブラウザの表示画面を概略示す図である。
【図５ｃ】本発明の一実施例によるデジタルオブジェクトブラウザの表示画面を概略示す図である。
【図５ｄ】本発明の一実施例によるデジタルオブジェクトブラウザの表示画面を概略示す図である。
【図５ｅ】本発明の一実施例によるデジタルオブジェクトブラウザの表示画面を概略示す図である。
【図５ｆ】本発明の代替実施例によるデジタルオブジェクトブラウザの表示画面を概略示す図である。
【図５ｇ】本発明の代替実施例によるデジタルオブジェクトブラウザの表示画面を概略示す図である。
【図１】
2008542867.tif 000003
【図２】
2008542867.tif 000004
【図３】
2008542867.tif 000005
【図４】
2008542867.tif 000006
【図５ａ】
2008542867.tif 000007
【図５ｂ】
2008542867.tif 000008
【図５ｃ】
2008542867.tif 000009
【図５ｄ】
2008542867.tif 000010
【図５ｅ】
2008542867.tif 000011
【図５ｆ】
2008542867.tif 000012
【図５ｇ】
2008542867.tif 000013
【国際調査報告】
2008542867.tif 000014
2008542867.tif 000015